(57)【要約】【課題】  複数の光源を備え、これらの光源をマイクロコンピュータで制御して複数の画像投影を行なう、操作が容易で複数の投影パターンを備えた投影玩具を提供する。【解決手段】  本発明の投影玩具1は、縦横に敷設された複数のレンズ鏡筒を有し、前後に所定間隔離れた位置に対向して配置された同形状の入射側鏡筒ユニット41a及び投影側鏡筒ユニット41bと、当該両鏡筒ユニット41a,41bが有するレンズ鏡筒の数と同数であって、後方に配置された入射側鏡筒ユニット41aが有する各レンズ鏡筒の後方端部近傍に夫々配置される複数のＬＥＤ43とを備える投影部3と、前記２つの鏡筒ユニット41a,41bの間の間隙に装着され、前記各鏡筒ユニット41a,41bが有する各レンズ鏡筒の光軸上に夫々異なる画像が位置するように画像が描かれた画像シート4とを備えるものである。【選択図】      図６
2008259601.tif 000002
【特許請求の範囲】
【請求項１】
縦横に敷設された複数のレンズ鏡筒を有し、前後に所定間隔離れた位置に対向して配置された同形状の入射側鏡筒ユニット及び投影側鏡筒ユニットと、
前記両鏡筒ユニットが有するレンズ鏡筒の数と同数であって、後方に配置された入射側鏡筒ユニットが有する各レンズ鏡筒の後方端部近傍に夫々配置される複数のＬＥＤとを備える投影部と、
前記２つの鏡筒ユニットの間の間隙に装着され、前記各鏡筒ユニットが有する各レンズ鏡筒の光軸上に夫々異なる画像が位置するように画像が描かれた画像シートとを備えることを特徴とする投影玩具。
【請求項２】
前記投影部は、
前記両鏡筒ユニットの各レンズ鏡筒の前方端部に固定された集光レンズと、
前記各ＬＥＤを制御するマイクロコンピュータとを備えることを特徴とする請求項１に記載の投影玩具。
【請求項３】
前記画像シートは前記２つの鏡筒ユニットの間の間隙に着脱自在であることを特徴とする請求項１又は請求項２に記載の投影玩具。
【請求項４】
前記画像シートはマイクロフィルムを備え、ナノプリントによって画像が描かれていることを特徴とする請求項１乃至請求項３のいずれかに記載の投影玩具。
【請求項５】
略楕円球面形状であって上部の所定の位置に前記投影部が配置される切欠き部が形成され、当該切欠き部近傍に電源スイッチを有し、底部に電池収納部を有する本体部を備えることを特徴とする請求項１乃至請求項４のいずれかに記載の投影玩具。
【請求項６】
前記投影側鏡筒ユニットの前方端部に固定された集光レンズは、複数のＬＥＤから射出され各レンズ鏡筒を透過した光線束が所定距離離れた投影面の一点に焦点が合うように傾けて固定されていることを特徴とする請求項２乃至請求項５のいずれかに記載の投影玩具。
【請求項７】
外部入力端子を備えていることを特徴とする請求項１乃至請求項６のいずれかに記載の投影玩具。
【請求項８】
音声出力装置を備えていることを特徴とする請求項１乃至請求項７のいずれかに記載の投影玩具。
【請求項９】
ＬＥＤの点灯時間を調整する点灯調整ボタンを備えていることを特徴とする請求項１乃至請求項８のいずれかに記載の投影玩具。
【発明の詳細な説明】
【技術分野】
【０００１】
本発明は、投影玩具に関する。
【背景技術】
【０００２】
子供向けの投影玩具としては、例えば、特開２００６−２５９８２号公報（特許文献１）では、２４コマの無端フィルムをモータで回転させ、無端フィルムの環内に複数個のＬＥＤ及び投影側光学系を備えた投影装置を配置して投影面に無端フィルムの画像を投影させる提案がなされている。
【０００３】
この発明は、絵本のようにフィルムの各コマに絵と字幕が記載されており、ページ送りボタンを押すことでフィルムが一コマずつ進み、擬音等が各コマの記載内容に応じて流れ、親が各コマに記載された字幕を読んで幼児に聞かせる、又は、幼児が字幕を読むことで絵本を読んでいる間隔を幼児に提供できる投影玩具である。
【特許文献１】特開２００６−２５９８２号公報
【発明の開示】
【発明が解決しようとする課題】
【０００４】
従来の投影玩具では、一つの光源で複数の画像を投影するため、フィルムを稼働させる稼働機構等を必要とし、投影玩具の大型化や製造過程の増加等の問題があった。
【０００５】
本発明は、上述したような従来技術の問題点に鑑みてなされたものであり、複数の光源を備え、これらの光源をマイクロコンピュータで制御して複数の画像投影を行なう、操作が容易で複数の投影パターンを備えた投影玩具を提供することを目的とする。
【課題を解決するための手段】
【０００６】
本発明の投影玩具(1)は、縦横に敷設された複数のレンズ鏡筒を有し、前後に所定間隔離れた位置に対向して配置された同形状の入射側鏡筒ユニット(41a)及び投影側鏡筒ユニット(41b)と、前記両鏡筒ユニット(41a,41b)が有するレンズ鏡筒の数と同数であって、後方に配置された入射側鏡筒ユニット(41a)が有する各レンズ鏡筒の後方端部近傍に夫々配置される複数のＬＥＤ(43)とを備える投影部(3)と、前記２つの鏡筒ユニット(41a,41b)の間の間隙に装着され、前記各鏡筒ユニット(41a,41b)が有する各レンズ鏡筒の光軸上に夫々異なる画像が位置するように画像が描かれた画像シート(4)とを備えるものである。
【０００７】
又、前記投影部(3)は、前記両鏡筒ユニット(41a,41b)の各レンズ鏡筒の前方端部に固定された集光レンズ(42)と、前記各ＬＥＤ(43)を制御するマイクロコンピュータとを備えるものである。
【０００８】
更に、前記画像シート(4)は前記各鏡筒ユニットの間の間隙に着脱自在であり、マイクロフィルムを備え、ナノプリントによって画像が描かれているものである。
【０００９】
そして、投影玩具(1)は、略楕円球面形状であって上部の所定の位置に前記投影部(3)が配置される切欠き部(31)が形成され、当該切欠き部(31)近傍に電源スイッチ(32)を有し、底部に電池収納部を有する本体部(2)を備えることを特徴とするものである。
【００１０】
又、前記投影側鏡筒ユニット(41b)の前方端部に固定された集光レンズ(42)は、複数のＬＥＤ(43)から射出され各レンズ鏡筒を透過した光線束が所定距離離れた投影面の一点に焦点が合うように傾けて固定されているものである。
【００１１】
尚、外部入力端子を備える場合や、音声出力装置を備える場合、或いは、ＬＥＤ(43)の点灯時間を調整する点灯調整ボタンを備える場合もある。
【発明の効果】
【００１２】
本発明によれば、複数の光源を備え、これらの光源をマイクロコンピュータで制御して複数の画像投影を行なう、操作が容易で複数の投影パターンを備えた投影玩具を提供することができる。
【発明を実施するための最良の形態】
【００１３】
本発明を実施するための最良の形態の投影玩具1は、縦横等間隔に敷設された６本のレンズ鏡筒を有し、前後に所定間隔離れた位置に対向して配置された同形状の入射側鏡筒ユニット41a及び投影側鏡筒ユニット41bと、後方に配置された入射側鏡筒ユニット41aが有する各レンズ鏡筒の後方端部近傍に夫々配置される６個のＬＥＤ43とを備える投影部3と、２つの鏡筒ユニット41a,41bの間の間隙に装着され、各鏡筒ユニット41a,41bが有する各レンズ鏡筒の光軸上に夫々異なる６つの画像が位置するように画像が描かれた画像シート4とを備えるものである。
【００１４】
又、投影部3は、両鏡筒ユニット41a,41bの各レンズ鏡筒の前方端部に固定された集光レンズ42と、各ＬＥＤ43を制御するマイクロコンピュータとを備え、画像シート4は各鏡筒ユニットの間の間隙に着脱自在であり、マイクロフィルムを備え、ナノプリントによって画像が描かれているものである。又、投影側鏡筒ユニット41bの前方端部に固定された集光レンズ42は、複数のＬＥＤ43から射出され各レンズ鏡筒を透過した光線束が所定距離離れた投影面の一点に焦点が合うように傾けて固定されているものである。
【００１５】
そして、投影玩具1は、略楕円球面形状であって上部の所定の位置に投影部3が配置される切欠き部31が形成され、当該切欠き部31近傍に電源スイッチ32を有し、底部に電池収納部を有する本体部2を備えることを特徴とするものである。
【実施例】
【００１６】
以下、本発明の実施例を図に基づいて詳説する。本発明の投影玩具1は、図１に示すように、中空で一部に切欠きを有する略楕円球面形状の本体部2と、本体部2に回動可能に取付けられ画像を投影する投影部3と、複数の画像が並べて描かれた画像フィルタを備える画像シート4とを備え、複数の画像が並べて描かれた画像フィルタに複数のＬＥＤから射出される個々の光を透過させて、異なる複数の画像を順次投影面に投影する玩具である。
【００１７】
本体部2は、図１〜図４に示すように、中空で一部に切欠きを有する略楕円球面形状であり、下蓋21と上蓋22を重ね合わせて形成されたものである。この下蓋21は、略半楕円球面形状であって底部に平面部23を備え、正面上部には投影部3が位置する湾曲面24が形成されたものである。又、この平面部23には電池収納部が形成され電池蓋25により電池収納口を塞がれており、電池収納部の周縁近傍には複数の滑り止め26を備え、背面には外部入力端子27を備えている。
【００１８】
又、上蓋22は、略半楕円球面形状であって正面側には投影部3が位置する切欠き部31が形成され、上部の背面近傍には電源スイッチ32を備えているものである。又、この切欠き部31は、下蓋21の湾曲面24の周縁と連結する側壁が形成されており、図示しないが、投影部3を回動自在に支持する支持孔が形成されている。
【００１９】
更に、本体部2の内部には図示しないが音声出力装置や、外部入力端子27に接続された外部機器との情報交換や電源スイッチ32の電源制御等を行なう制御基板を備えている。
【００２０】
投影部3は、図５、図６に示すように、縦横等間隔に敷設された６つのレンズ鏡筒を有し、前後に所定間隔離れた位置に対向して配置された同形状の入射側鏡筒ユニット41a及び投影側鏡筒ユニット41bと、後方に配置された入射側鏡筒ユニット41aが有する各レンズ鏡筒の後方端部近傍に夫々配置される６つのＬＥＤ43とを備えるものである。又、２つの鏡筒ユニット41a,41bが有する各レンズ鏡筒の前方端部にはレンズフレーム45によって固定された集光レンズ42を備え、６つのＬＥＤ43は基板44に固定され、２つの鏡筒ユニット41a,41bは相互の間の間隙を保持するように鏡筒ユニット固定板46により固定されているものである。
【００２１】
更に、投影部3は２つの鏡筒ユニット41a,41bの間の間隙を除く全体を投影カバーによって覆われているものである。
【００２２】
２つの鏡筒ユニット41a,41bは、両端面を開口としＬＥＤ43からの射出光の導光路となる６本のレンズ鏡筒が縦横等間隔に縦２列、横３行に敷設され、このレンズ鏡筒の前方端部の各開口に集光レンズ42が配置され、この集光レンズ42を鏡筒ユニット41a,41bの端部とレンズフレーム45によって挟持しているものである。又、これら２つの鏡筒ユニット41a,41bは、後方である入射側に配置された鏡筒ユニットを入射側鏡筒ユニット41a、前方である投影側に配置された鏡筒ユニットを投影側鏡筒ユニット41bとし、各レンズ鏡筒の光軸が同一となるように対向して配置され、各鏡筒ユニット41a,41bの間に画像シート4を着脱する画像シート装着部48を形成して鏡筒ユニット固定板46により固定されているものである。
【００２３】
集光レンズ42は、投影側鏡筒ユニット41b及び入射側鏡筒ユニット41aの投影側端部に固定され、各筒内を透過する光線束を投影面上に集光するものである。又、本実施例の投影玩具1では、投影玩具1の設置場所から３ｍの位置で焦点が合う構成としているため、６つの鏡筒から射出された光線束が３ｍ先の投影面上の一点に集光するよう投影側鏡筒ユニット41bの投影口近傍に配置された各集光レンズ42を焦点に向けて僅かに傾けて配置しているものである。尚、３ｍ先の投影面に焦点が合うように形成しているが、当然この距離に限定されるものでなく、基準となる距離を変化させたい場合にはその変化させた後の距離によって集光レンズ42の傾きを変えることで投影面上の一点に焦点が合うよう調整できる。
【００２４】
基板44は、６つのＬＥＤ43と、当該ＬＥＤ43を時分割制御するマイクロコンピュータと、本体部2と接続した電力を供給する電線とを備え、入射側鏡筒ユニット41aの入射口近傍に固定されているものである。又、６つのＬＥＤ43は、入射側鏡筒ユニット41aの各レンズ鏡筒の入射口の中心に一つずつＬＥＤ43が位置するよう基板44に縦横等間隔で縦２列、横３行に固定されているものである。
【００２５】
レンズフレーム45は、縁を有した薄板に入射側鏡筒ユニット41a及び投影側鏡筒ユニット41bの各レンズ鏡筒の開口と略同形状の６つの開口が形成され、各鏡筒ユニット41a,41bの投影側端部との間で集光レンズ42を挟持するものである。
【００２６】
鏡筒ユニット固定板46は、縁を有した方形状の薄板であり、入射側鏡筒ユニット41a及び投影側鏡筒ユニット41bの下部を入射側鏡筒ユニット41aと投影側鏡筒ユニット41bの間に画像シート4を着脱する画像シート装着部48を形成した状態で固定するものである。
【００２７】
投影カバーは、投影部3の全体を覆うものであり、投影側鏡筒ユニット41bと入射側鏡筒ユニット41aの間の画像シート装着部48近傍には、画像シート4が着脱可能なように間隙を備えている。又、投影カバーの後方近傍の両側面には本体部2の切欠き部31に形成された支持孔と接続する突起を備えている。そして、この突起が支持孔と接続することにより、図４に示したように、投影部3の投影角度を変えることができるものである。
【００２８】
又、画像シート4は、６つの画像が縦横等間隔で縦２列、横３行に描かれた透光性の画像フィルタ51と、画像フィルタ51を前後から挟持する２枚のフィルタ固定板52とを備えるものである。画像フィルタ51は、マイクロフィルムであって、投影側鏡筒ユニット41bと入射側鏡筒ユニット41aとの間の間隙に画像シート4を装着した場合に６つの画像の夫々が各レンズ鏡筒の光軸上に位置するように、縦横等間隔に描かれており、この画像はナノプリントにより形成されているものである。
【００２９】
又、フィルタ固定板52は、厚肉部と薄板部を備え、薄板部に６つの画像の枠となる６つの円形枠を備え、円形枠内に画像フィルタ51に描かれた画像が位置するように、画像フィルタ51を２つのフィルタ固定板52で前後から挟持しているものである。又、厚肉部は、画像シート装着部48に画像シート4を装着した場合に鏡筒カバーと係止して、画像フィルタ51に描かれた画像がレンズ鏡筒の光軸上に位置するように支持するのもであり、画像シート装着部48に画像シート4を装着する場合の基準位置を定めるものである。この画像シート4は、画像シート装着部48に着脱自在であるため、異なる画像が描かれた他の画像シート4を装着することで様々な画像を投影できるものである。
【００３０】
この投影玩具1は、画像シート装着部48に画像シート4が装着された状態で、電源スイッチ32が押されると、基板44が備えるマイクロコンピュータが組み込まれたプログラムに従って６つのＬＥＤ43の点灯順や点灯時間を制御し、これにより６つのＬＥＤ43の中で点灯したＬＥＤ43が配置された所定のレンズ鏡筒の光軸上に配置された画像フィルタ51の画像が投影面に投影される。そして、点灯するＬＥＤ43はマイクロコンピュータによって制御されているため、自動的に投影面に投影された投影画像が切り替わり、一切の操作無しで異なる投影画像を投影できるものである。
【００３１】
又、外部入力端子27に外部機器例えばＭＰ３等を接続すると、投影面に画像が投影されると共に、音声出力装置より音声も流れ、紙芝居等を見ている感覚で楽しむことができるものである。
【００３２】
又、マイクロコンピュータのプログラムとしては、予め決められた順番に従って６つのＬＥＤ43を点灯させる場合や、ランダムにＬＥＤ43を選択して点灯させる場合等があり、マイクロコンピュータへのプログラミングによって自由に点灯スピードや順番を変化させることができる。
【００３３】
本実施例の投影玩具1によれば、複数の画像を容易に投影可能であり、複雑な操作もなく、幼児や子供でも気軽に楽しむことができる。又、画像シート4を交換することで様々な種類の画像を楽しむことができる。更に、従来の投影玩具のようにフィルムを動かす機構等を必要としないため安価で容易に投影玩具を提供することができる。
【００３４】
尚、上述した実施例では、６つの画像を投影することが可能な投影玩具1としているが、同一の構造で投影口を９つにして９画像を投影することや、投影口を１６にして１６画像を投影すること等もできる。このように投影する画像数を増やすことによって簡単な動画の投影も可能となり、更に多くの嗜好で楽しむことができるようになる。
【００３５】
又、投影スピード調整用のスイッチ等を配置することもでき、画像の投影時間を調整することで、例えば字幕が描かれた画像が投影された場合において、ゆっくりと投影することで字幕をゆっくり読むことができるようになり、又、自動車の画像が投影されているような場合には投影時間を短くすることでスピード感を楽しむこともできる等、様々な楽しみ方を提供することができる。
【図面の簡単な説明】
【００３６】
【図１】本発明の実施例に係る投影玩具の斜視図。
【図２】本発明の実施例に係る投影玩具の底面図。
【図３】本発明の実施例に係る投影玩具の背面図。
【図４】本発明の実施例に係る投影玩具の投影部の角度を変えた場合における正面図。
【図５】本発明の実施例に係る投影部の斜視図。
【図６】本発明の実施例に係る投影部及び画像シートの分解斜視図。
【符号の説明】
【００３７】
1  投影玩具                          2  本体部
3  投影部                            4  画像シート
21  下蓋                             22  上蓋
23  平面部                           24  湾曲面
25  電池蓋                           26  滑り止め
27  外部入力端子                     31  切欠き部
32  電源スイッチ                     41a  入射側鏡筒ユニット
41b  投影側鏡筒ユニット              42  集光レンズ
43  ＬＥＤ                           44  基板
45  レンズフレーム                   46  鏡筒ユニット固定板
48  画像シート装着部                 51  画像フィルタ
52  フィルタ固定板
【図１】
2008259601.tif 000003
【図２】
2008259601.tif 000004
【図３】
2008259601.tif 000005
【図４】
2008259601.tif 000006
【図５】
2008259601.tif 000007
【図６】
2008259601.tif 000008